【手続補正書】
【提出日】平成17年11月28日(2005.11.28)
【手続補正１】
【補正対象書類名】明細書
【補正対象項目名】発明の名称
【補正方法】変更
【補正の内容】
【発明の名称】色分解テーブル作成方法、画像処理装置および印刷装置
【手続補正２】
【補正対象書類名】明細書
【補正対象項目名】特許請求の範囲
【補正方法】変更
【補正の内容】
【特許請求の範囲】
【請求項１】  予め定められた入力色によって規定される格子点に対応して印刷装置で用いられる色材色の格子点データを格納し、前記予め定められた入力色を、前記格子点によって構成される立体の頂点に対応した色以外の特色を含んだ前記色材色に変換する色分解テーブルの作成方法であって、
前記立体における２つの頂点を結ぶ辺上に、前記特色の点を定め、
前記立体における２つの頂点であるブラックとホワイトを結ぶライン、前記立体の表面を通り複数の頂点を結ぶライン、および前記立体の表面を通り複数の頂点を結び前記特色の点を含むラインそれぞれにおける格子点について、予め定められたパッチの測色結果に基づき格子点データを求め、
前記立体を前記各ラインによって分割し、該分割された複数の立体について、前記各ラインにおける格子点の格子点データに基づいて補間処理を行い、当該分割された立体における、前記ライン以外の格子点の格子点データを求める、
ステップを有したことを特徴とする色分解テーブル作成方法。
【請求項２】  さらに、前記特色と該特色が定められる辺の一方の頂点の色との２次色の点を当該辺上に定め、前記立体の表面を通り複数の頂点を結び前記２次色の点を含むラインについても、前記予め定められたパッチの測色結果に基づき格子点データを求め、前記立体を前記２次色の点を含むラインを含んだ前記各ラインによって分割し、該分割された複数の立体について、前記各ラインにおける格子点の格子点データに基づいて補間処理を行い、当該分割された立体における、前記ライン以外の格子点の格子点データを求めるステップを有したことを特徴とする請求項１に記載の色分解テーブル作成方法。
【請求項３】  前記分割された複数の立体について補間処理を行い、当該分割された立体の格子点データを求める際、前記特色の点を含むラインを含んだ前記分割された立体または前記特色と頂点の色との前記２次色の点を含むラインを含んだ前記分割された立体については、当該特色の点または当該２次色の点の座標を、当該特色の点および当該２次色の点が定められる辺の一方の頂点に移す拡大処理を行い、該拡大された立体について前記補間処理を行い、前記特色の点または当該２次色の点の座標を元の座標に戻す縮小処理を行い、該元の分割された立体の格子点の格子点データを、前記拡大された立体の補間処理によって得られた格子点およびその格子点データに基づいて求めることを特徴とする請求項１または２に記載の色分解テーブル作成方法。
【請求項４】  前記分割された立体は四面体であり、該四面体についての補間処理は、当該四面体を複数の三角形に分割し、該分割されたそれぞれの三角形についてその３辺の格子点データに基づいた補間処理によって、当該三角形面上に存在する格子点の格子点データを求めることを特徴とする請求項１ないし３のいずれかに記載の色分解テーブル作成方法。
【請求項５】  前記三角形の３辺における格子点データに基づく補間処理は、３辺のうち、２辺の格子点データを用いた補間処理、または、３辺のうちの１辺、２辺、３辺のいずれかの格子点データを用いた有限要素法による補間処理であることを特徴とする請求項４に記載の色分解テーブル作成方法。
【請求項６】  前記特色以外の色材の色は、シアン、マゼンタ、イエローおよびブラック色の４色、またはシアン、マゼンタ、イエロー、ブラックの４色に淡シアン、淡マゼンタ色を加えた６色であることを特徴とする請求項１ないし５のいずれかに記載の色分解テーブル作成方法。
【請求項７】  前記特色は、オレンジ色であることを特徴とする請求項１ないし６のいずれかに記載の色分解テーブル作成方法。
【請求項８】  前記予め定められた入力色は、レッド、グリーン、ブルーであることを特徴とする請求項１ないし７のいずれかに記載の色分解テーブル作成方法。
【請求項９】  予め定められた入力色によって規定される格子点に対応して印刷装置で用いられる色材色の格子点データを格納し、前記予め定められた入力色を、前記格子点によって構成される立体の頂点に対応した色以外の特色を含んだ前記色材色に変換する色分解テーブルを作成する画像処理装置であって、
前記立体における２つの頂点を結ぶ辺上に、前記特色の点を定める特色点設定手段と、
前記立体における２つの頂点であるブラックとホワイトを結ぶライン、前記立体の表面を通り複数の頂点を結ぶライン、および前記立体の表面を通り複数の頂点を結び前記特色の点を含むラインそれぞれにおける格子点について、予め定められたパッチの測色結果に基づき格子点データを求めるテーブルデータ作成手段と、
前記立体を前記各ラインによって当該ラインを辺として含む複数の立体に分割し、該分割された複数の立体について、前記各ラインにおける格子点の格子点データに基づいて補間処理を行い、当該分割された立体における、前記ライン以外の格子点の格子点データを求める補間手段と、
を具えたことを特徴とする画像処理装置。
【請求項１０】  予め定められた入力色によって規定される格子点に対応して印刷装置で用いられる色材色の格子点データを格納し、前記予め定められた入力色を、前記格子点によって構成される立体の頂点に対応した色以外の特色を含んだ前記色材色に変換する色分解テーブルによって変換された前記色材色のデータに基づいて印刷を行う印刷装置であって、
前記色分解テーブルは、
前記立体における２つの頂点を結ぶ辺上に、前記特色の点を定め、
前記立体における２つの頂点であるブラックとホワイトを結ぶライン、前記立体の表面を通り複数の頂点を結ぶライン、および前記立体の表面を通り複数の頂点を結び前記特色の点を含むラインそれぞれにおける格子点について、予め定められたパッチの測色結果に基づき格子点データを求め、
前記立体を前記各ラインによって当該ラインを辺として含む複数の立体に分割し、該分割された複数の立体について、前記各ラインにおける格子点の格子点データに基づいて補間処理を行い、当該分割された立体における、当該ライン以外の格子点の格子点データを求める、
ステップを有した処理によって作成されたことを特徴とする印刷装置。
【請求項１１】  コンピュータに読み込まれることにより、予め定められた入力色によって規定される格子点に対応して印刷装置で用いられる色材色の格子点データを格納し、前記予め定められた入力色を、前記格子点によって構成される立体の頂点に対応した色以外の特色を含んだ前記色材色に変換する色分解テーブルの作成処理を実行するためのプログラムであって、
前記作成処理は、
前記立体における２つの頂点を結ぶ辺上に、前記特色の点を定め、
前記立体における２つの頂点であるブラックとホワイトを結ぶライン、前記立体の表面を通り複数の頂点を結ぶライン、および前記立体の表面を通り複数の頂点を結び前記特色の点を含むラインそれぞれにおける格子点について、予め定められたパッチの測色結果に基づき格子点データを求め、
前記立体を前記各ラインによって当該ラインを辺として含む複数の立体に分割し、該分割された複数の立体について、前記各ラインにおける格子点の格子点データに基づいて補間処理を行い、当該分割された立体における、前記ライン以外の格子点の格子点データを求める、
ステップを有したことを特徴とするプログラム。
【請求項１２】  予め定められた入力色によって規定される格子点に対応して印刷装置で用いられる色材色の格子点データを格納し、前記予め定められた入力色を、前記格子点によって構成される立体の頂点に対応した色以外の特色を含んだ前記色材色に変換する色分解テーブルの作成処理を実行するためのプログラムをコンピュータに読取り可能に記憶した記憶媒体であって、
前記作成処理は、
前記立体における２つの頂点を結ぶ辺上に、前記特色の点を定め、
前記立体における２つの頂点であるブラックとホワイトを結ぶライン、前記立体の表面を通り複数の頂点を結ぶライン、および前記立体の表面を通り複数の頂点を結び前記特色の点を含むラインそれぞれにおける格子点について、予め定められたパッチの測色結果に基づき格子点データを求め、
前記立体を前記各ラインによって当該ラインを辺として含む複数の立体に分割し、該分割された複数の立体について、前記各ラインにおける格子点の格子点データに基づいて補間処理を行い、当該分割された立体における、前記ライン以外の格子点の格子点データを求める、
ステップを有したことを特徴とする記憶媒体。